(57)【要約】第１記録情報が予め記録されている再生専用領域１６０と、再生動作に伴って再生不可能となる第２記録情報が記録されている再生回数制限領域１５０とを有する。
2005024805.tif 000002
【特許請求の範囲】
【請求項１】
第１記録情報が予め記録されている再生専用領域と、
再生動作に伴って再生不可能となる第２記録情報が記録されている再生回数制限領域と
を有することを特徴とする情報記録媒体。
【請求項２】
前記第２記録情報は、前記再生専用領域に記録された第１記録情報を再生するために必要な再生制御情報であることを特徴とする請求の範囲第１項に記載の情報記録媒体。
【請求項３】
前記再生回数制限領域は、記録された記録情報を再生可能とするための再生パワー範囲と前記記録情報を消去可能とするための消去パワー範囲とが少なくとも部分的に重なっている記録特性を持つ記録層を備え、当該記録層上に前記第２記録情報が記録されていることを特徴とする請求の範囲第１項に記載の情報記録媒体。
【請求項４】
当該情報記録媒体は、情報記録装置又は情報記録再生装置による前記第２記録情報の記録が認められない再生専用である旨のフラグを有することを特徴とする請求の範囲第１項に記載の情報記録媒体。
【請求項５】
基板と、
該基板上に形成された第１記録層と、
前記基板上に形成された第２記録層と
を備えており、
前記再生専用領域には、前記第１記録情報に対応する第１ピットが前記第１記録層に形成されており、
前記再生回数制限領域には、前記第２記録情報に対応すると共に前記第１ピットとは異なる種類の第２ピットが前記第２記録層に形成されていることを特徴とする請求の範囲第１項に記載の情報記録媒体。
【請求項６】
前記第１ピットは、前記再生専用領域内における前記第１ピットが形成された領域部分と前記第１ピットが形成されていない領域部分とで凹凸が相異なるように形成されていることを特徴とする請求の範囲第５項に記載の情報記録媒体。
【請求項７】
前記第２ピットは、前記再生回数制限領域内における前記第２ピットが形成された領域部分と前記第２ピットが形成されていない領域部分とで相互に光学特性が相異なるように形成されていることを特徴とする請求の範囲第５項に記載の情報記録媒体。
【請求項８】
基板と、
該基板上に形成された単一の記録層と
を備えており、
前記再生専用領域には、前記第１記録情報に対応する第１ピットが前記単一の記録層に形成されており、
前記再生回数制限領域には、前記第２記録情報に対応すると共に前記第１ピットとは異なる種類の第２ピットが前記単一の記録層に形成されていることを特徴とする請求の範囲第１項に記載の情報記録媒体。
【請求項９】
前記第１ピットは、前記再生専用領域内における前記第１ピットが形成された領域部分と前記第１ピットが形成されていない領域部分とで凹凸が相異なるように形成されていることを特徴とする請求の範囲第８項に記載の情報記録媒体。
【請求項１０】
前記第２ピットは、前記再生回数制限領域内における前記第２ピットが形成された領域部分と前記第２ピットが形成されていない領域部分とで相互に光学特性が相異なるように形成されていることを特徴とする請求の範囲第８項に記載の情報記録媒体。
【請求項１１】
ディスク状の基板を備えており、
前記再生専用領域は、前記基板上における内周側及び外周側のうち一方に配置されており、
前記再生回数制限領域は、前記基板上における前記内周側及び前記外周側のうち他方に配置されていることを特徴とする請求の範囲第１項に記載の情報記録媒体。
【請求項１２】
前記再生専用領域と前記再生回数制限領域とは、交互に配置されていることを特徴とする請求の範囲第１項に記載の情報記録媒体。
【請求項１３】
前記第２記録情報は、記録用レーザの照射により前記再生回数制限領域に記録されていることを特徴とする請求の範囲第１項に記載の情報記録媒体。
【請求項１４】
少なくとも前記再生回数制限領域には、グルーブが形成されており、当該グルーブに沿って前記第２記録情報が記録されていることを特徴とする請求の範囲第１項に記載の情報記録媒体。
【発明の詳細な説明】
【技術分野】
【０００１】  本発明は、例えばレーザを照射することによって記録及び再生可能な光ディスク等の情報記録媒体の技術分野に属する。
【背景技術】
【０００２】  この種の情報記録媒体では、レーザ光照射によって再生中に情報が誤消去されてしまわないように、情報を再生することが可能なレーザ光のパワー（即ち、エネルギ或いは光強度）の範囲（本願では適宜「再生パワー範囲」と称する）が、記録された情報を消去することが可能なレーザ光のパワーの範囲（本願では適宜「消去パワー範囲」と称する）よりも、低く設定されている。また、情報を記録することが可能なレーザ光のパワーの範囲（本願では適宜「記録パワー範囲」と称する）は、消去パワー範囲よりも高く設定されている。そして、これらの再生パワー範囲、消去パワー範囲及び記録パワー範囲は、記録層に固有であり、一般には、記録層の材料及び膜厚によって、このような設定が得られる。そして、このような記録層に対応して、情報記録再生装置では、再生用レーザに比べて、記録用レーザを遥かに高パワーで照射するように構成されている。【０００３】  他方で、情報の再生回数を制限する目的で、複数回の再生用レーザの照射によって、上述の如き特性を有する記録層を劣化させることで、情報を消去する技術も提案されている。例えば、特許文献１には、情報記録再生装置の再生用レーザのパワーを、情報記録媒体上の情報データが消去されるパワーの近傍にまで高めて、制御された一定の回数、再生用レーザを照射することで、記録された情報を消去する技術が開示されている。【０００４】
【特許文献１】特開２００１−３３１９４２号公報
【特許文献２】特開２００１−６７７３１号公報
【発明の開示】
【発明が解決しようとする課題】
【０００５】  しかしながら、特許文献１に開示された技術によれば、情報記録媒体の全記録領域について、再生回数に制限をかけるものであり、記録された情報を一旦全て消去してしまえば、次に再び情報を記録することは容易でない。即ち、再利用は不可能であるか、又は、仮に再び情報を記録可能であったとしても、全ての情報を再生回数に制限をかける形で再び記録するためには手間と時間が非常にかかるという技術的な問題点がある。【０００６】  本発明は、例えば上述の問題点に鑑みなされたものであり、再生回数に制限をかけることが容易であり、更に比較的簡単に再利用も可能である情報記録媒体を提供することを課題とする。
【課題を解決するための手段】
【０００７】  本発明の請求項１記載の情報記録媒体は上記課題を解決するために、第１記録情報が予め記録されている再生専用領域と、再生動作に伴って再生不可能となる第２記録情報が記録されている再生回数制限領域とを有する。【０００８】  本発明の作用及び利得は次に説明する実施の形態から明らかにされる。
【発明を実施するための最良の形態】
【０００９】  以下、本発明の実施形態に係る情報記録媒体について説明する。【００１０】  （情報記録媒体の実施形態）
本発明の情報記録媒体に係る実施形態は、第１記録情報が予め記録されている再生専用領域と、再生動作に伴って再生不可能となる第２記録情報が記録されている再生回数制限領域とを有する。【００１１】  本発明の情報記録媒体に係る実施形態によれば、例えば光ディスクプレーヤ等の情報再生装置によって、再生回数制限領域に記録された第２記録情報を、１回又は複数回である所定回数だけ再生できる。これと相前後して又は並行して、再生専用領域に記録された第１記録情報についても再生できる。その後、所定回数だけ再生した後には、当該所定回数の再生動作に伴って第２記録情報が例えば消去されるなどして、第２記録情報はもはや再生不可能となる。他方、第１記録情報は、再生可能なままとされてもよい。又は、第２記録情報を、第１記録情報を再生するために必要な情報としておくことで、第１記録情報についても再生不可能とされてもよい。このように第２記録情報や、第１及び第２記録情報の再生回数に対して比較的容易に制限をかけられる。更に、第１記録情報を再生するために第２記録情報が必要であるようにこれらの第１及び第２記録情報を記録しておけば、第２記録情報を所定回数だけ再生して第１記録情報についても再生不可能となった後に、第２記録情報だけを再び記録すれば、第１記録情報についてはそのまま維持されているので、結局第１及び第２記録情報を再生可能な状態を復元できる。このように当該情報記録媒体を再利用できる。【００１２】  尚、前記再生回数制限領域では、前記第２記録情報は、前記所定回数として１回だけ再生可能であるように構成してもよい。或いは、前記所定回数として２回、３回、４回等の複数回だけ再生可能であるように構成してもよい。また、例えば１回のみ、２回のみなど厳密に再生回数制限をかけてもよいし、例えば５回程度、１０回程度など、ある程度の回数範囲を持って再生回数制限をかけてもよい。【００１３】  加えて、第１記録情報として映画等の情報データ量の大きいコンテンツをスタンパによって、一挙に再生専用領域に記録できるので、情報記録媒体１枚当りの作成時間を短縮させ、生産性を向上させることも可能である。【００１４】  本発明の情報記録媒体に係る実施形態の一態様では、前記第２記録情報は、前記再生専用領域に記録された第１記録情報を再生するために必要な再生制御情報であることを特徴とする。【００１５】  この態様によれば、第２記録情報として、第１記録情報を再生するために必要な、例えばコントロールデータ、エンクリプションキー、ファイルシステム、アドレス等の再生制御情報が記録されているので、第２記録情報が例えば消去されるなどして再生不可能とされた後には、例えばコンテンツ情報等の第１記録情報を再生することも不可能となる。よって、相対的に少量の第２記録情報を再生不可能とするだけで、相対的に大量の第１記録情報をも再生不可能とすることででき、非常に効率良く、当該情報記録媒体の全体について再生回数制限をかけることができる。更に、相対的に大量の第１記録情報についてはそのまま維持されているので、一旦再生不可能とされた後に相対的に少量の第２記録情報を再び記録するだけで、非常に効率良く当該情報記録媒体の全体について再利用��能となる。【００１６】  尚、通常のビデオコンテンツの場合、例えばファイルシステム等の再生制御情報へのアクセスは最初の起動時の１回だけであるので、再生専用領域に記録されているビデオコンテンツ等の第１記録情報に関しては、情報記録媒体が排出されない限り、複数回何度でも再生することができる。【００１７】  本発明の情報記録媒体に係る実施形態の他の態様では、前記再生回数制限領域は、記録された記録情報を再生可能とするための再生パワー範囲と前記記録情報を消去可能とするための消去パワー範囲とが少なくとも部分的に重なっている記録特性を持つ記録層を備え、当該記録層上に前記第２記録情報が記録されている。【００１８】  この態様によれば、再生回数制限領域では、第２記録情報が記録される記録層に固有である消去パワー範囲が再生パワー範囲と重なっているため、情報再生装置によって、例えば典型的には１回である、所定回数だけ再生用レーザが照射されると、第２記録情報は再生されつつ消去される。【００１９】  本発明の情報記録媒体に係る実施形態の他の態様では、当該情報記録媒体は、情報記録装置又は情報記録再生装置による前記第２記録情報の記録が認められない再生専用である旨のフラグを有する。【００２０】  この態様によれば、例えばユーザが所有する光ディスクレコーダ等の情報記録装置又は情報記録再生装置では、フラグに従って第２記録情報の記録が認められない規格とすることで、当該情報記録媒体の提供者が意図しないような、第２記録情報の記録が行われ、制限をかけた筈の再生回数を超えた不正な再生を未然防止できる。例えば、このような規格に準拠するＤＶＤ−Ｒ等の通常の追記型情報記録装置又はＤＶＤ−Ｒ／Ｗ等の書き換え型情報記録装置によっても記録できないようにできる。【００２１】  尚、当該情報記録媒体の回収者は、このようなフラグを無効とする特別処理によって、例えば特別なパワー範囲にある記録用レーザの照射によって第２記録情報を再び記録することができ、当該情報記録媒体の再利用が可能となる。【００２２】  本発明の情報記録媒体に係る実施形態の他の態様では、基板と、該基板上に形成された第１記録層と、前記基板上に形成された第２記録層とを備えており、前記再生専用領域には、前記第１記録情報に対応する第１ピットが前記第１記録層に形成されており、前記再生回数制限領域には、前記第２記録情報に対応すると共に前記第１ピットとは異なる種類の第２ピットが前記第２記録層に形成されている。【００２３】  この態様によれば、再生専用領域には、例えばエンボス加工によるピット、穴あけによるピット、相変化によるピット、屈折率変化のピット等の第１ピットが、第１記録情報に対応して第１記録層に形成されている。再生回数制限領域には、例えば記録層における相変化による第２ピットが、第２記録情報に対応して第２記録層に形成されている。例えば、第２記録層は、第１記録層上に直接又は間に他の層間絶縁相を介して間接に積層形成されている。或いは、基板の一方の面上に第１記録層が形成され、基板の他方の面上に第２記録層が形成されてもよい。即ち、例えば２層片面、即ち、所謂デュアルレイヤー型の光ディスクとして構築されてもよいし、１層両面、即ち、���謂ダブルサイド型の光ディスクとして構築されてもよい。【００２４】  尚、記録用レーザが照射されることで前記第２記録情報を前記第２記録層に記録可能であると共に再生用レーザが照射されることで前記記録された第２記録情報を一回だけ再生可能であり、前記第２記録層は、前記第２記録情報が再生可能とされる再生パワー範囲が、前記第２記録情報が消去可能とされる消去パワー範囲と少なくとも部分的に重なっている記録特性を持つように構成してもよい。【００２５】  或いは、第２記録層に固有である、これらの再生パワー範囲と消去パワー範囲とは、重なっておらず、特許文献１の如き、再生用レーザのパワーを高く設定することで、再生回数に制限をかけるように構成してもよい。【００２６】  本発明の情報記録媒体に係る実施形態の他の態様では、基板と、該基板上に形成された単一の記録層とを備えており、前記再生専用領域には、前記第１記録情報に対応する第１ピットが前記単一の記録層に形成されており、前記再生回数制限領域には、前記第２記録情報に対応すると共に前記第１ピットとは異なる種類の第２ピットが前記単一の記録層に形成されている。【００２７】  この態様によれば、再生専用領域には、例えば基板に対するエンボス加工によるピット等の第１ピットが、第１記録情報に対応して単一の記録層に形成されている。再生回数制限領域には、例えば単一の記録層における相変化による第２ピットが、第２記録情報に対応して単一の記録層に形成されている。例えば、単一の記録層は、スタンパによりエンボス加工された基板上に直接又は間接に積層形成されている。この際、再生専用領域及び再生回数制限領域の両者を含む基板上の全域に単一の記録層を形成するようにしてもよいので、比較的簡単に当該単一の記録層を形成できる。更に、再生用レーザの照射方向から見て、単一の記録層の背面側には反射層等が別途形成されてもよい。【００２８】  尚、記録用レーザが照射されることで第２記録情報を単一の記録層に記録可能であると共に再生用レーザが照射されることで記録された第２記録情報を一回だけ再生可能であり、単一の記録層は、第２記録情報が再生可能とされる再生パワー範囲が、第２記録情報が消去可能とされる消去パワー範囲と少なくとも部分的に重なっている記録特性を持つように構成してもよい。【００２９】  或いは、単一の記録層に固有である、これらの再生パワー範囲と消去パワー範囲とは、重なっておらず、特許文献１の如き、再生用レーザのパワーを高く設定することで、再生回数に制限をかけるように構成してもよい。【００３０】  これらの第１及び第２記録層、若しくは単一の記録層を備えた態様では、前記第１ピットは、前記再生専用領域内における前記第１ピットが形成された領域部分と前記第１ピットが形成されていない領域部分とで凹凸が相異なるように形成されているように構成してもよい。【００３１】  このように構成すれば、例えば基板に対するエンボス加工による凹凸からなる第１ピットが再生用レーザの照射によって消去されないように形成することで、再生専用領域に、第１記録情報を何度でも再生可能なように記録できる。【００３２】  これらの第１及び第２記録層、若しくは単一の記録層を備えた態様では���前記第２ピットは、前記再生回数制限領域内における前記第２ピットが形成された領域部分と前記第２ピットが形成されていない領域部分とで相互に光学特性が相異なるように形成されているように構成してもよい。【００３３】  このように構成すれば、例えば相変化により黒くされた第２ピットが、再生用レーザの照射によって消去される（即ち、黒くなくなる）ように形成することで、再生回数制限領域に、第２記録情報を、再生動作に伴って消去可能なように記録できる。【００３４】  本発明の情報記録媒体に係る実施形態の他の態様では、ディスク状の基板を備えており、前記再生専用領域は、前記基板上における内周側及び外周側のうち一方に配置されており、前記再生回数制限領域は、前記基板上における前記内周側及び前記外周側のうち他方に配置されている。【００３５】  この態様によれば、所定回数の再生動作によって、ディスク状の基板上における内周側又は外周側にまとめて配置された再生回数制限領域に記録された第２記録情報が再生できなくなる。すると、残された外周側又は外周側にまとめて配置された再生専用領域については、第２記録情報の再生が前提となる第１記録情報としてのコンテンツ情報が再生不可能とされたり、第２記録情報とは無関係である第１記録情報としてのコンテンツ情報のみが再生可能とされたりする。特に、再生専用領域におけるピットをスタンパで形成する際に、まとめて形成できる。【００３６】  本発明の情報記録媒体に係る実施形態の他の態様では、前記再生専用領域と前記再生回数制限領域とは、交互に配置されている。【００３７】  この態様によれば、所定回数の再生動作によって、ディスク状の基板上に交互に配置された再生回数制限領域に記録された第２記録情報が再生できなくなる。すると、交互に配置された再生専用領域については、第２記録情報の再生が前提となる第１記録情報としてのコンテンツ情報が再生不可能とされたり、第２記録情報とは無関係である第１記録情報としてのコンテンツ情報のみが再生可能とされたりする。【００３８】  本発明の情報記録媒体に係る実施形態の他の態様では、前記第２記録情報は、記録用レーザの照射により前記再生回数制限領域に記録されていることを特徴とする。【００３９】  この態様によれば、例えばユーザによる情報再生装置での利用によって、所定回数の再生動作に伴って再生不可能とされた情報記録媒体が、回収業者或いは提供者の元に回収された後には、該回収業者らによる記録用レーザの照射によって再び第２記録情報を記録できる。このように情報記録媒体の再利用が比較的簡単にできる。【００４０】  本発明の情報記録媒体に係る実施形態の他の態様では、少なくとも前記再生回数制限領域には、グルーブが形成されており、当該グルーブに沿って前記第２記録情報が記録される。【００４１】  この態様によれば、グルーブを記録トラックとして機能させ、グルーブに沿って、第２記録情報を比較的簡単に記録でき再生できる。特に、再生回数制限領域がトラックに沿って長く伸びる場合には、ディスクの偏心等の影響もあるので、グルーブがあった方が記録処理が概ね容易となる。【００４２】  尚、例えばスタンパ等で第１記録情報が記録される再生専用領域には、グ��ーブは必ずしも必要ではないが、トラッキング等を容易ならしめすために形成されていてもよい。【００４３】  本実施形態のこのような作用及び他の利得は次に説明する実施例から明らかにされる。【００４４】  以上説明したように、本発明の情報記録媒体に係る実施形態によれば、再生専用領域と再生回数制限領域とを有するので、比較的簡単に、再生回数に制限をかけることができ、更に比較的簡単に再利用も可能となる。
【実施例】
【００４５】  （情報記録媒体）
以下、本発明の情報記録媒体の実施例について図１から図１４を参照して説明する。【００４６】  先ず図１を参照して、本実施例の光ディスクの基本構造について説明する。ここに図１は、本発明の情報記録媒体の一実施例である光ディスクの基本構造を示し、上側部分は複数の記録領域を有する光ディスクの概略平面図であり、これに対応付けられる下側部分は、その径方向における記録領域構造の図式的概念図である。【００４７】  本実施例に係る情報記録媒体は、その再生回数制限領域については、一回又はある制限された複数回だけ記録情報の再生が可能であると共に該一回又はある制限された複数回の再生によって記録情報が消去され、更に消去後に再び記録情報の記録が可能であると共に、これらの記録、再生（消去）、再記録という処理を多数回に亘って繰り返すことが可能であるリードワンス型光ディスクからなる。他方で、その再生専用領域については、物理的に何度でも記録情報の再生が可能であるＲＯＭ型光ディスクからなる。従って、本実施例に係る情報記録媒体は、ディスク全体としては、再生回数制限領域及び再生専用領域を併せ持つハイブリッド型ディスクとして構築されている。以下に説明するように、映像情報や音楽情報等のコンテンツ情報を記録する領域は概ね再生専用領域とされ、係るコンテンツ情報の再生を制御する情報を記録する領域の少なくとも一部分は再生回数制限領域とされる。【００４８】  図１に示すように、光ディスク１００は、例えば、ＤＶＤと同じく直径１２ｃｍ程度のディスク本体上の記録面に、センターホール１を中心として内周側から外周側に向けて、本実施例に係るリードインエリア１０１、データゾーン１０２及びリードアウトエリア１０３が設けられている。更に、リードインエリア１０１内には、後述されるコントロールデータエリアが設けられると共に、データゾーン１０２内には、後述されるファイル管理情報記録エリアが設けられている。そして、各記録領域には、例えば、センターホール１を中心にスパイラル状或いは同心円状に、例えば、グルーブトラック及びランドトラック等のトラック１０が交互に設けられている。このトラック１０上には、データがセクタ１１という単位で分割されて記録される。セクタ１１は、記録情報がエラー訂正可能なプリフォーマットアドレスによるデータ管理単位である。更に本実施例では、このようなセクタ１１が１６個集まった記録単位が、１ＥＣＣ（Ｅｒｒｏｒ  Ｃｏｒｒｅｃｔｉｏｎ  Ｃｏｄｅ）ブロックとされている。【００４９】  尚、本発明の光ディスク１００は、１層構造でなくてもよい。２層片面、即ち、デュアルレイヤー又は１層両面、即ち、ダブルサイドであってもよい。【００５０】  次に図２を参照して、本発明の実施例に係る光ディスクのうち、再生回数制限領域にて記録情報が再生用レーザの照射によって消去可能に記録される記録層における再生パワー範囲、消去パワー範囲及び記録パワー範囲の一具体例について説明する。ここに、図２は、このような記録層における再生パワー範囲、消去パワー範囲及び記録パワー範囲の一具体例を示したグラフ図である。図２において、縦軸は、レーザのパワーの値を、単位をｍＷ（ミリワット）として示し、横軸は、本実施例に係���光ディスクのレーザの種類（図２中、左側から再生用、消去用及び記録用レーザ）を示す。【００５１】  本発明の実施例に係る光ディスクの記録層は、図２に示されるように、再生パワー範囲が原則として０．７ｍＷ以下となるように形成されている。更に、後述される消去パワー範囲と再生パワー範囲とを重ねるために、再生パワー範囲が０．２ｍＷ以上であり且つ０．７ｍＷ以下となるように、記録層は形成されてもよい。記録層は、消去パワー範囲が、０．２ｍＷ以上であり且つ１．０ｍＷ以下となるように形成され、記録パワー範囲が、０．７ｍＷ以上であり且つ２ｍＷ以下となるように形成されている。【００５２】  このように、本発明の実施例に係る光ディスクは、その再生回数制限領域に関しては、例えば、ＤＶＤ−ＲＯＭ等の再生専用メディアを再生するときに推奨されている、再生パワー範囲と本実施例に係る消去パワー範囲とが重なった範囲内にあるパワーを有するレーザを、再生用レーザとして照射することで再生を行えば、記録情報を再生しつつ消去することが可能となる。特に、再生パワー範囲と消去パワー範囲とが、例えば、５０％以上の割合で重なっていてもよい。また、消去パワー範囲が、再生パワー範囲を包含していてもよい。【００５３】  また例えば、市販のＤＶＤ−Ｒ／Ｗ等の書き換え型情報記録媒体、又は例えばＤＶＤ−Ｒ等の追記型情報記録媒体の記録層の記録パワー範囲と本実施例に係る光ディスクの記録層の記録パワー範囲は重なっていない。従って、市販されている書き換え型又は追記型情報記録媒体のライターによって本実施例に係る光ディスクに記録することはできない。このため、光ディスク１００の提供者が意図しないような、記録情報の再記録が行われ、制限をかけた筈の再生回数を超えた不正な再生を未然防止できる。他方で、光ディスク１００の回収者（例えば、提供者）は、図２に示した如き記録用レーザの照射によって記録情報を再記録することができ、光ディスク１００の再利用が可能となる。【００５４】  （第１〜第５実施例−再生回数制限領域の一例として構築された記録領域の分類−）
次に図３〜図７を参照して、本発明の第１〜第５実施例に係るハイブリッド型の光ディスクにおける、再生回数制限領域と再生専用領域との各種割振りについて説明する。【００５５】  （第１実施例）
先ず、図３を参照して本発明の第１実施例に係る光ディスクにおける記録領域の構造及びその光ディスクに記録された情報及びデータ並びに再生回数制限領域１５０の一例として構築されたファイル管理情報記録エリア１０２Ａの記録領域について説明する。ここに、本実施例に係る「データ」とは、再生又は実行の主たる対象となるデータをいい、例えば、画像データ、音声データ、文書データなどのコンテンツデータや、コンピュータプログラム用のデータなどである。【００５６】  ここに、図３は、本発明の第１実施例に係る光ディスクの記録領域の構造、再生専用領域１６０及び再生回数制限領域１５０を示した図式的構造図である。尚、図３中の左側が光ディスク１００の内周側であり、図３中の右側が光ディスク１００の外周側である。【００５７】  図３に示すように、光ディスク１００の記録領域には、その内周側にリードインエリア１０１が存在し、リードインエリア１０１の外周側にデータゾーン１０２が存在し、データゾーン１０２の外周側にリードアウトエリア１０３が存在する。【００５８】  リードインエリア１０１及びリードアウトエリア１０３には、データの記録及び再生を制御又は管理するための例えば、制御情報又は管理情報等の各種情報が記録される。制御情報は、データゾーン１０２への記録及び再生を制御する情報であり、例えば、情報記録媒体の属性や種類などを示す情報、データのアドレス管理をするための情報、例えばディスクドライブ等の情報記録再生装置の記録及び再生動作を制御するための情報などである。より具体的には、リードインエリア１０１内の外周側には、コントロールデータエリア１０１Ａが設けられている。コントロールデータエリア１０１Ａは、後述に詳細に説明されるように、データゾーン１０２への記録及び読取を制御する制御情報を記録するための領域である。【００５９】  データゾーン１０２には、前述したデータ又はユーザデータが記録される。データゾーン１０２はデータを記録するための主たる領域である。より具体的には、データゾーン１０２内の内周側には、ファイル管理情報記録エリア１０２Ａが設けられている。ファイル管理情報記録エリア１０２Ａには、例えば、ファイルシステム若しくは、記録領域の論理又は物理プロックごとに記録又は未記録の状態を示すスペースビットマップ情報等が記録される。【００６０】  以上説明した、情報記録媒体に記録される制御情報及び管理情報とデータとはそれらの内容に応じて常に明確に区別できるものではない。しかし、制御情報及び管理情報は主として例えばディスクドライブ等の情報記録再生装置の動作制御に直接的に用いられる情報であるのに対し、データは情報記録再生装置では主として単なる記録又は再生の対象となるだけのデータであり、主として例えばバックエンド又はホストコンピュータのデータ再生処理ないしプログラム実行処理において用いられるデータである。このような性質の違い等に応じて、データはデータゾーン１０２に記録され、制御情報及び管理情報は、リードインエリア１０１内のコントロールデータエリア１０１Ａ、リードアウトエリア１０３、又はデータゾーン１０２内のファイル管理情報記録エリア１０２Ａに記録される。【００６１】  第１実施例では特に、データゾーン１０２内のファイル管理情報記録エリア１０２Ａは、再生回数制限領域１５０として構成されている。このファイル管理情報記録エリア１０２Ａには、本発明に係る「第２記録情報」の一例を構成する、例えば前述したファイルシステム又はスペースビットマップ情報等が記録される。ファイル管理情報記録エリア１０２Ａ以外のデータゾーン１０２、リードインエリア１０１及びリードアウトエリア１０３内のすべての領域は、例えば、エンボスピットが形成された再生専用領域１６０として構成され、これらの領域には、本発明に係る「第１記録情報」の一例を構成するユーザデータ等が記録されている。【００６２】  従って本実施例によれば、再生専用領域１６０に記録されたユーザデータ等は、例えばエンボス加工によるピット等を用いて記録されることで物理的には何度でも再生可能な状態で記録されているものの、論理的には再生回数制限領域１５０から再生されたファイルシステム等に基づかない限り正常に再生することはできい。即ち、例えば相変化によるピットを用いて記録された情報が消去されることで再生回数制限領域１５０における再生が物理的に不可能とされた後には、通常の光ディスクプレーヤや光ディスクレコーダなどによって、光ディスク１００全体を正常に再生することはできなくなる。そして、その後に、回収者等によりファイルシステム等を再記録すれば、再び通常の光ディスクプレーヤや光ディスクレコーダなどによって、光ディスク１００全体を正常に（１回又は所定回数だけ）再生できるようになる。【００６３】  尚、第１実施例では、ファイル管理情報記録エリア１０２Ａにおいては複数回記録が行われるという性質及び連続したある程度大きなデータ量が記録されることを鑑みてグルーブがあったほうが好ましい。このグルーブ、再生回数制限領域１５０及び再生専用領域１６０の物理的構造については後述される図９〜図１４を参照して、第１２〜第１７実施例に基づいて詳細に説明する。また、第１実施例における実際の動作は、後述される図１６を参照して説明する。【００６４】  （第２実施例）
次に、図４を参照して本発明の第２実施例に係る光ディスクにおける記録領域の構造及びその光ディスクに記録された情報及びデータ並びに再生回数制限領域１５０の一例として構築されたコントロールデータエリア１０１Ａの記録領域について説明する。ここに、コントロールデータエリア１０１Ａとは、例えば著作権情報、不正コピー防止のための情報等のコントロールデータが工場出荷時などに予め記録された記録領域のことである。【００６５】  ここに、図４は、本発明の第２実施例に係る光ディスクの記録領域の構造、再生専用領域１６０及び再生回数制限領域１５０を示した図式的構造図である。尚、図４中の第２実施例に係る光ディスク１００の記録領域の構造及び光ディスク１００の内周側及び外周側の位置関係は、第１実施例を示した図３と概ね同様である。【００６６】  第２実施例では特に、リードインエリア１０１内のコントロールデータエリア１０１Ａは、再生回数制限領域１５０として構成されている。このコントロールデータエリア１０１Ａには、本発明に係る「第２記録情報」の他の一例を構成する、例えば前述したコントロールデータが記録される。コントロールデータエリア１０１Ａ以外のリードインエリア１０１、データゾーン１０２及びリードアウトエリア１０３内のすべての領域は、例えば、エンボスピットが形成された再生専用領域１６０として構成され、これらの領域には、本発明に係る「第１記録情報」の一例を構成するユーザデータ等が記録されている。【００６７】  従って本実施例によれば、再生専用領域１６０に記録されたユーザデータ等は、物理的には何度でも再生可能な状態で記録されているものの、論理的には再生回数制限領域１５０から再生されたコントロールデータに基づかない限り正常に再生することはできい。即ち、再生回数制限領域１５０における再生が物理的に不可能とされた後には、通常の光ディスクプレーヤや光ディスクレコーダなどによって、光ディスク１００全体を正常に再生することはできなくなる。そして、その後に、回収者等によりコントロールデータを再記録すれば、再び通常の光ディスクプレーヤや光ディスクレコーダなどによって、光ディスク１００全体を正常に（１回又は所定回数だけ）再生できるようになる。【００６８】  （第３実施例）
次に、図５を参照して本発明の第３実施例に係る光ディスクにおける記録領域の構造及びその光ディスクに記録された情報及びデータ並びに再生回数制限領域１５０の一例として構築されたエンクリプションキー記録エリア１０４の記録領域について説明する。【００６９】  ここに、図５は、本発明の第３実施例に係る光ディスクの記録領域の構造、再生専用領域１６０及び再生回数制限領域１５０を示した図式的構造図である。尚、図５中の第３実施例に係る光ディスク１００の記録領域の構造及び光ディスク１００の内周側及び外周側の位置関係は、第１実施例を示した図３と概ね同様である。【００７０】  ここに、エンクリプションキー記録エリア１０４とは、エンクリプションキー（暗号化鍵）がトラック上で、例えば、２ＥＣＣブロック、即ち、３２セクタの記録単位で記録されている領域である。尚、第３実施例では、エンクリプションキー記録エリア１０４はデータゾーン１０２内にあるが、リードインエリア１０１内等にあってもよい。【００７１】  第３実施例では特に、データゾーン１０２内のエンクリプションキー記録エリア１０４は、再生回数制限領域１５０として構成されている。このエンクリプションキー記録エリア１０４には、本発明に係る「第２記録情報」の他の一例を構成する、例えば前述したエンクリプションキー（暗号化鍵）が記録される。エンクリプションキー記録エリア１０４以外のデータゾーン１０２、リードインエリア１０１及びリードアウトエリア１０３内のすべての領域は、例えば、エンボスピットが形成された再生専用領域１６０として構成されている。特に、暗号化データエリア１０５、即ち、エンクリプションキー記録エリア１０４に記録されたエンクリプションキーで暗号化されたユーザデータが記録されている領域又は暗号化されていないユーザデータが記録されている領域も、再生専用領域１６０として構成され、これらの領域には、本発明に係る「第１記録情報」の一例を構成するユーザデータ等が記録されている。【００７２】  従って本実施例によれば、再生専用領域１６０に記録されたユーザデータ等は、物理的には何度でも再生可能な状態で記録されているものの、論理的には再生回数制限領域１５０から再生されたエンクリプションキーに基づかない限り正常に再生することはできい。即ち、再生回数制限領域１５０における再生が物理的に不可能とされた後には、通常の光ディスクプレーヤや光ディスクレコーダなどによって、光ディスク１００全体を正常に再生することはできなくなる。そして、その後に、回収者等によりエンクリプションキーを再記録すれば、再び通常の光ディスクプレーヤや光ディスクレコーダなどによって、光ディスク１００全体を正常に（１回又は所定回数だけ）再生できるようになる。【００７３】  （第４実施例）
次に、図６を参照して本発明の第４実施例に係る光ディスクにおける記録領域の構造及びその光ディスクに記録された情報及びデータ並びに再生回数制限領域１５０の一例として構築されたアドレス情報記録エリア１０６の記録領域について説明する。【００７４】  ここに、図６は、本発明の第４実施例に係る光ディスクの記録領域の構造、再生専用領域１６０及び再生回数制限領域１５０を示した図式的構造図である。尚、図６中の第４実施例に係る光ディスクの記録領域の構造及び光ディスク１００の内周側及び外周側の位置関係は、第１実施例を示した図３と概ね同様である。【００７５】  ここに、アドレス情報記録エリア１０６とは、アドレス情報がトラック上で、例えば、セクタの記録単位で記録されている領域である。【００７６】  第４実施例では特に、データゾーン１０２内の一つ又は複数のアドレス情報記録エリア１０６は、再生回数制限領域１５０として構成されている。このアドレス情報記録エリア１０６には、本発明に係る「第２記録情報」の他の一例を構成する、例えば前述したアドレス情報が記録される。アドレス情報記録エリア１０６以外のデータゾーン１０２、リードインエリア１０１及びリードアウトエリア１０３内のすべての領域は、例えば、エンボスピットが形成された再生専用領域１６０として構成され、これらの領域には、本発明に係る「第１記録情報」の一例を構成するユーザデータ等が記録されている。尚、第４実施例では、アドレス情報記録エリア１０６においては、多数の回数の記録は行われないという性質及び不連続した小さなデータ量が記録されることを鑑みてグルーブを形成しないほうが好ましい。【００７７】  従って本実施例によれば、再生専用領域１６０に記録されたユーザデータ等は、物理的には何度でも再生可能な状態で記録されているものの、論理的には再生回数制限領域１５０から再生されたアドレス情報に基づかない限り正常に再生することはできい。即ち、再生回数制限領域１５０における再生が物理的に不可能とされた後には、通常の光ディスクプレーヤや光ディスクレコーダなどによって、光ディスク１００全体を正常に再生することはできなくなる。そして、その後に、回収者等によりアドレス情報を再記録すれば、再び通常の光ディスクプレーヤや光ディスクレコーダなどによって、光ディスク１００全体を正常に（１回又は所定回数だけ）再生できるようになる。【００７８】  （第５実施例）
次に、図７を参照して本発明の第５実施例に係る光ディスク１００における記録領域の構造及びその光ディスク１００に記録された情報及びデータ並びに再生回数制限領域１５０の一例として構築されたメニューファイル記録エリアの記録領域について説明する。【００７９】  ここに、図７は、本発明の第５実施例に係る光ディスク１００の記録領域の構造、再生専用領域１６０及び再生回数制限領域１５０を示した図式的構造図である。尚、図７中の第５実施例に係る光ディスク１００の記録領域の構造及び光ディスク１００の内周側及び外周側の位置関係は、第１実施例を示した図３と概ね同様である。【００８０】  ここに、メニューファイル記録エリアとは、メニューファイルがトラック上で、例えば、セクタの記録単位で記録されている領域である。特に、第５実施例では、階層構造のメニューを持つコンテンツにおいて最初に表示される親メニューが記録された領域を、親メニューファイル記録エリア１０７と称す。また、親メニューの次に表示される子メニューが記録された領域を、子メニューファイル記録エリア１０８と称す。尚、第５実施例では、親メニューファイル記録エリア１０７又は子メニューファイル記録エリア１０８はデータゾーン１０２内にあるが、リードインエリア１０１内等にあってもよい。【００８１】  第５実施例では特に、データゾーン１０２内の親メニューファイル記録エリア１０７は、再生回数制限領域１５０として構成されている。この親メニューファイル記録エリア１０７には、本発明に係る「第２記録情報」の他の一例を構成する、例えば前述した親メニューを示す親メニュー情報が記録される。親メニューファイル記録エリア１０７以外のデータゾーン１０２、リードインエリア１０１及びリードアウトエリア１０３内のすべての領域は、例えば、エンボスピットが形成された再生専用領域１６０として構成されている。特に、子メニューファイル記録エリア１０８も、再生専用領域１６０として構成され、これらの領域には、本発明に係る「第１記録情報」の一例を構成する子メニューを示す子メニュー情報等が記録されている。【００８２】  従って本実施例によれば、再生専用領域１６０に記録されたユーザデータ等は、物理的には何度でも再生可能な状態で記録されているものの、論理的には再生回数制限領域１５０から再生された親メニュー情報に基づかない限り正常に再生することはできい。即ち、再生回数制限領域１５０における再生が物理的に不可能とされた後には、通常の光ディスクプレーヤや光ディスクレコーダなどによって、光ディスク１００全体を正常に再生することはできなくなる。そして、その後に、回収者等により親メニュー情報を再記録すれば、再び通常の光ディスクプレーヤや光ディスクレコーダなどによって、光ディスク１００全体を正常に（１回又は所定回数だけ）再生できるようになる。再生専用エリア、即ち再生専用領域１６０と、回数制限エリア、即ち再生回数制限領域１５０を利用することで、例えばスローなど繰り返しトレースが行われる部分は再生専用エリアに設定するなど出来、特殊再生にも対応が可能である。【００８３】  尚、第５実施例における実際の動作は、後述される図１７を参照して説明する。【００８４��  （第６〜第１１実施例−物理構造概要分類−）
次に図８を参照して、本発明の第６〜第１１実施例に係る光ディスクにおける再生回数制限領域１５０及び再生専用領域１６０が設けられたハイブリッド型の物理構造の概要分類について説明する。ここに、図８（ａ）〜図８（ｆ）は夫々、本発明の第６〜第１１実施例に係る光ディスクにおける物理構造を示した図式的断面図である。夫々の断面図において、縦線“Ｘ”は光ディスクの回転中心軸を示す。【００８５】  図８（ａ）に示されるように、第６実施例に係る光ディスクは例えば、デュアルレイヤーディスク、即ち、２層片面ディスクである。ここに、２層片面ディスクとは、２枚貼り合わせたディスクの記録面を片面から読み取る光ディスクである。２層からなる光ディスクを片面から読み取るために、１層目のディスクの反射膜を半透明化し且つ接着剤を透明にする。その記録又は再生時には、焦点深度を浅くすることで１層目（ピックアップに近い側）の記録層にアクセス可能となり、焦点深度を深くすることで２層目（ピックアップから遠い側）の記録層にアクセス可能である。更に、焦点深度を切替えることで、１層目から２層目へ瞬時にアクセスすることが可能であるので、１層目から２層目へ切れ目のない連続再生も可能となる。その構造を採用することで、例えば最大８．５ＧＢ（Ｇｉｇａ  Ｂｙｔｅ）程度の容量が実現されている。第６実施例では、ピックアップ側、即ち、図中下側の１層目に、例えば、エンボスピットが形成された再生専用領域１６０が配置され、図中上側の２層目に、再生回数制限領域１５０が配置される。【００８６】  但し、ダブルサイド、即ち、１層両面ディスクでもよい。また、更に発展させて２層両面ディスクでもよい。この２層両面ディスクでは、例えば最大１７ＧＢ程度の大容量が実現可能である。【００８７】  図８（ｂ）に示されるように、第７実施例では、ピックアップ側、即ち、下側の１層目に再生回数制限領域１５０が配置され、上側の２層目に再生専用領域１６０が形成される。【００８８】  図８（ｃ）に示されるように、第８実施例では、内周側に再生専用領域１６０が形成され、外周側に再生回数制限領域１５０が形成される。【００８９】  図８（ｄ）に示されるように、第９実施例では、内周側に再生回数制限領域１５０が形成され、外周側に再生専用領域１６０が形成される。【００９０】  図８（ｅ）に示されるように、第１０実施例では、最内周側に再生専用領域１６０が形成され、外周側に向かって再生回数制限領域１５０及び再生専用領域１６０が交互に形成される。【００９１】  図８（ｆ）に示されるように、第１１実施例では、最内周側に再生回数制限領域１５０が形成され、外周側に向かって再生専用領域１６０及び再生回数制限領域１５０が交互に形成される。【００９２】  尚、第８実施例〜第１１実施例に、第６又は第７実施例における２層構造を組合せてもよい。【００９３】  （第１２〜第１７実施例−物理構造詳細分類−）
次に図９〜図１４を参照して、本発明の第１２〜第１７実施例に係る光ディスク１００における物理構造の詳細分類について説明する。尚、第１２〜第１７実施例は、前述した第８〜第１１実施例を更に詳細に分類した実施例である。【００９４】  （第１２実施例）
先ず、図９を参照して本発明の第１２実施例に係る光ディスク１００における再生回数制限領域１５０及び再生専用領域の一例を構成するリーダブルエンボスエリアＥＡの詳細な物理構造について説明する。ここに、図９は本発明の第１２実施例に係る光ディスク１００の一部を、光ディスク１００の記録面側から見た図式的拡大斜視図である。尚、第１２実施例は、前述した第８〜第１１実施例に対応する。【００９５】  図９に示されるように、第１２実施例に係る光ディスク１００は、基板３２と、基板３２上に積層された上に、記録層３０、反射層３１及び保護層３３とを備えて構成されている。尚、これらの層の他、記録層３０の上部や下部に誘電体層等が配置されてもよいし、接着層等から構成される保護層３３の下層側にカバー基板等が貼り付けられてもよい。【００９６】  基板３２には、その表面全域（図９中、下側の表面全域）に、グルーブトラックＧ及びランドトラックＬがエンボス加工等により形成されている。リーダブルエンボスエリアＥＡ内におけるグルーブトラックＧ上には、エンボスピットＥＰ及びエンボススペースＥＳがエンボス加工により形成されている。他方で、再生回数制限領域内におけるグルーブトラックＧ上には、記録マーク２０が記録層３０に形成されている。記録マーク２０は、記録用レーザを照射することで、相変化によるピット（相変化により黒くされたピット）として構成されている。反射層３１は、エンボス加工された基板３２に成膜された記録層３０上に直接又は不図示の誘電体層或いは絶縁膜を介して成膜された、例えばＡｌ（アルミニウム）膜等である。【００９７】  光ディスク１００は、再生回数制限領域１５０については、記録層３０を備えた相変化型ディスクの一種として構成されている。この記録層３０の一部に記録マーク２０が形成されることで、データが再生と共に消去可能に記録される。より詳細には、反射率の大きい結晶状態の記録層３０にレーザビームが照射され、部分的に記録層３０が融解されると共に、急速に冷やされる。このことにより、記録層３０が部分的にアモルファス状態にされることで、反射率を小さくさせることができる。このようにアモルファス状態にされた記録層３０の一部に記録マーク２０が形成される。他方、アモルファス状態の記録層３０にレーザビームが照射され、部分的に記録層３０が融解されると共に、ゆっくりと冷やされる。このことにより、記録層３０が結晶状態に戻されることで、反射率を大きく戻すことができる。即ち、データが消去可能となる。【００９８】  他方、光ディスク１００は、リーダブルエンボスエリアＥＡについては、記録層３０の存在とは無関係にエンボスピットＥＰを備えたＲＯＭ型ディスクの一種として構成されている。より具体的には、ポリカーボネート製の基板３２にはレーザ光等のビームを誘導するためのガイド用トラックとしてのグルーブトラックＧが形成されている。尚、この基板３２において、隣り合ったグルーブトラックＧとグルーブトラックＧとの間の領域をランドトラックＬと呼ぶ。グルーブトラックＧ及びランドトラックＬとの呼び名は、ベースとしての基板３２から見て凹部をグルーブトラックＧと呼び、凸部をランドトラックＬと呼んでいることを付���しておく。即ち、光ピックアップの側から見ると、グルーブ（溝）が凸状部に相当し、ランド（丘）が凹状部に相当する。【００９９】  このように本実施例では、光ディスク１００は、再生回数制限領域１５０については相変化型ディスクの一種として構成され且つ再生専用領域の一例であるリーダブルエンボスエリアＥＡについてはＲＯＭ型ディスクの一種として構成され、全体としてハイブリッド型ディスクとして構成されている。【０１００】  尚、本実施例では、リーダブルエンボスエリアＥＡにも、再生回数制限領域１５０と同一の記録層３０に形成されると共に、再生回数制限領域１５０と同一の記録膜が蒸着されていてもよい。このようにリーダブルエンボスエリアＥＡに形成された記録層３０については、相変化による情報の記録を行わないようにすれば、記録層３０の存在がエンボスピットＥＰの再生に対して悪影響を及ぼすことはない。逆に、このように記録層３０をリーダブルエンボスエリアＥＡにも形成するのであれば、基板３２の表面全域に記録層３０を成膜すれば、その後の部分的な記録層３０の除去や剥離等を行う必要もないので、製造上便利である。この場合でも再生時は一定光量の消去モードと等価なので、記録マーク２０が作られず、不具合はない。【０１０１】  特に、図９においては便宜上図示していないが、光ディスク１００においては、好ましくは、グルーブトラックＧをディスクの回転速度に対応する周波数でウォブリングさせている。このウォブリングされたグルーブトラックＧは、後述されるランドプリピットと同様に、光ディスク１００を出荷する前に予め形成されるものである。そして、光ディスク１００に記録情報、即ち、プリ情報以外の本来記録するべき画像情報等の情報を記録する際には、後述される情報記録再生装置によってこのグルーブトラックＧのウォブリング周波数を抽出することにより光ディスク１００を所定の回転速度で回転制御するとよい。【０１０２】  また特に、ランドトラックＬにはプリ情報に対応する図示しないランドプリピットが形成されていてもよい。このランドプリピットは一般に光ディスク１００を出荷する前に予め形成されているものである。また、このランドプリピットを検出することにより予めプリ情報を取得し、それに基づいて記録光としてのレーザ光の最適出力等が設定されると共に、記録情報を記録すべき光ディスク１００上の位置を示すアドレス情報等が取得され、このアドレス情報に基づいて記録情報が対応する記録位置に記録される。【０１０３】  （第１３実施例）
次に、図１０を参照して本発明の第１３実施例に係る光ディスク１００における再生回数制限領域及び再生専用領域の詳細な物理構造について説明する。ここに、図１０は本発明の第１３実施例に係る光ディスクの記録領域の一部を、光ディスクの記録面側から見た外観上面図とそれに対応するＲＦ再生信号出力との関係を示した図式的相関図である。尚、外観上面図の上側が光ディスクの内周側を指し、矢印は、レーザ光の進行方向（即ち、トラックの接線方向）を指す。【０１０４】  図１０において、第１３実施例に係る光ディスクは、第１２実施例の構成要素に加えてアンリーダブルエンボスピットＵＰを備えて構成されている。ここにアンリーダブルエンボスピットＵＰとは、図示しないランドプリピットと共に記録用クロック信号を生成する目的で形成されているエンボスピットである。アンリーダブルエンボスピットＵＰには、情報は記録されておらず、情報の読み出しを行う必要がないため、例えば凹凸が小さいエンボスピットにより形成されている。また、アンリーダブルエンボスピットＵＰは、第１２実施例におけるエンボスピットと同様にグルーブトラックＧ上に形成されてもよい。【０１０５】  図１０の外観上面図に示されるように、第１３実施例においては、グルーブトラックＧ上において、本発明に係る再生専用領域の他の一例を構成するアンリーダブルエンボスピットＵＰが内周側に配置され、続いて、外周側に再生回数制限領域の一例を構成する記録マーク２０が配置されている。このように、第１３実施例は、前述した第８実施例（図８（ｃ）参照）及び第１０実施例（図８（ｅ）参照）に対応しているといえる。【０１０６】  図１０の外観上面図に示されるように、再生用レーザが照射され、レーザ光が矢印方向に進むにしたがって、アンリーダブルエンボスピットＵＰ及び記録マーク２０上にこのレーザ光が照射される。この照射によって、図中のＲＦ再生信号のグラフで示されるように、アンリーダブルエンボスピットＵＰ及び記録マーク２０上では、反射率が小さいのでＲＦ再生信号が低く出力される。【０１０７】  （第１４実施例）
次に、図１１を参照して本発明の第１４実施例に係る光ディスクにおける再生回数制限領域及び再生専用領域の詳細な物理構造について説明する。ここに、図１１は本発明の第１４実施例に係る光ディスクの記録領域の一部を、光ディスクの記録面側から見た外観上面図とそれに対応するＲＦ再生信号出力との関係を示した図式的相関図である。尚、外観上面図の上側が光ディスクの内周側を指し、矢印は、レーザ光の進行方向（即ち、トラックの接線方向）を指す。【０１０８】  図１１において、第１４実施例に係る光ディスクは、第１２実施例の構成要素と同様である。【０１０９】  図１１の外観上面図に示されるように、第１４実施例においては、グルーブトラックＧ上において、本発明に係る再生専用領域の一例を構成するエンボスピットＥＰが内周側に配置され、続いて外周側に再生回数制限領域の一例を構成する記録マーク２０が配置されている。このように、第１４実施例は、前述した第８実施例（図８（ｃ）参照）及び第１０実施例（図８（ｅ）参照）に対応している。【０１１０】  図１１の外観上面図に示されるように、再生用レーザが照射され、レーザ光が矢印方向に進むにしたがって、エンボスピットＥＰ及び記録マーク２０上にこのレーザ光が照射される。この照射によって、図中のＲＦ再生信号のグラフで示されるように、エンボスピットＥＰ及び記録マーク２０上では、反射率が小さいのでＲＦ再生信号が低く出力される。【０１１１】  （第１５実施例）
次に、図１２を参照して本発明の第１５実施例に係る光ディスク１００における再生回数制限領域１５０及び再生専用領域１６０の詳細な物理構造について説明する。ここに、図１２は本発明の第１５実施例に係る光ディスク１００の記録領域の一部を、光ディスク１００の記録面側から見た外観上面図とそれに対応するＲＦ再生信号出力との関係を示した図式的相関図である。尚、外観上面図の上側が光ディスクの内周側を指し、矢印は、レーザ光の進行方向（即ち、トラックの接線方向）を指す。【０１１２】  図１２において、第１５実施例に係る光ディスクは、第１２実施例の構成要素と同様である。【０１１３】  図１２の外観上面図に示されるように、第１５実施例においては、ランドトラックＬ上において、本発明に係る再生専用領域の一例を構成するエンボスピットＥＰが内周側に配置され、続いて外周側に再生回数制限領域の一例を構成する記録マーク２０が配置されている。このように、第１５実施例は、前述した第８実施例（図８（ｃ）参照）及び第１０実施例（図８（ｅ）参照）に対応している。【０１１４】  図１２の外観上面図に示されるように、再生用レーザが照射され、レーザ光が矢印方向に進むにしたがって、エンボスピットＥＰ及び記録マーク２０上にこのレーザ光が照射される。この照射によって、図中のＲＦ再生信号のグラフで示されるように、エンボスピットＥＰ及び記録マーク２０上では、反射率が小さいのでＲＦ再生信号が低く出力される。【０１１５】  （第１６実施例）
次に、図１３を参照して本発明の第１６実施例に係る光ディスク１００における再生回数制限領域１５０及び再生専用領域の一例を構成するリーダブルエンボスエリアＥＡの詳細な物理構造について説明する。ここに、図１３は本発明の第１６実施例に係る光ディスク１００の一部を、光ディスク１００の記録面側から見た図式的拡大斜視図である。尚、第１６実施例は、前述した第８〜第１１実施例に対応する。【０１１６】  図１３に示されるように、第１６実施例に係る光ディスク１００は、第１２実施例からグルーブトラックＧ及びランドトラックＬを除いた構成要素を備えて構成されている。そして、光ディスク１００は、再生回数制限領域については、第１２実施例と同様に記録層３０を備えた相変化型光ディスクである。【０１１７】  本実施例のようにグルーブトラック或いはランドトラックが形成されていなくても、再生回数制限領域にユーザデータ等を記録トラックに沿って記録することは可能であり、且つ再生専用領域には、エンボスピットＥＰを記録トラックに沿って記録することが可能となる。【０１１８】  （第１７実施例）
次に、図１４を参照して本発明の第１７実施例に係る光ディスク１００における再生回数制限領域及び再生専用領域の詳細な物理構造について説明する。ここに、図１４は本発明の第１７実施例に係る光ディスクの記録領域の一部を、光ディスクの記録面側から見た外観上面図とそれに対応するＲＦ再生信号出力との関係を示した図式的相関図である。尚、外観上面図の上側が光ディスクの内周側を指し、矢印は、レーザ光の進行方向（即ち、トラックの接線方向）を指す。【０１１９】  図１４において、第１７実施例に係る光ディスクは、第１６実施例の構成要素と同様である。【０１２０】  図１４の外観上面図に示されるように、第１７実施例においては、ランドレベル、即ち、ランドトラックＬに相当するトラック上において、再生専用領域内にエンボスピットＥＰがレーザ光の進行方向の最初に配置され、続いて同一ランドレベルにおいて再生回数制限領域内に記録マーク２０が配置されている。尚、ランドレベルの代わりにグルーブレベル、即ち、グルーブトラックＧに相当するトラック上にエンボスピットＥＰ及び記録マークが配置されていてもよい。このように、第１７実施例は、前述した第８実施例（図８（ｃ）参照）及び第１０実施例（図８（ｅ）参照）に対応している。【０１２１】  図１４の外観上面図に示されるように、再生用レーザが照射され、レーザ光が矢印方向に進むにしたがって、エンボスピットＥＰ及び記録マーク２０上にこのレーザ光が照射される。この照射によって、ＲＦ再生信号のグラフで示されるように、エンボスピットＥＰ及び記録マーク２０上では、反射率が小さいのでＲＦ再生信号が低く出力される。【０１２２】  （情報再生装置）
次に図１５を参照して、本発明の実施例に係る光ディスク１００の情報再生装置について説明する。ここに、図１５は本発明の実施例に係る光ディスク１００の情報再生装置２００の全体構成を示すブロック図である。【０１２３】  情報再生装置２００は、光ディスク１００、光ピックアップ２０２、スピンドルモータ２０３、ヘッドアンプ２０４、総和生成回路２１０、ピットデータ復調回路２１１、ピットデータ訂正回路２１２、バッファ２１３、インターフェース２１４、プッシュプル信号生成回路２２０、ローパスフィルタ２２１及びサーボユニット２２２を備えて構成されている。【０１２４】  光ディスク１００には、第１クロック信号ＣＫ１に同期したピットデータＤＰが記録マーク２０の長短によって記録されている。ＲＦ再生信号成分の第１クロック信号ＣＫ１は、前述の光ディスク１００の各種実施例で説明したように、ウォブリング又はアンリーダブルエンボス等に応じて、ほぼ一定周期で変動する光ディスク１００のＲＦ再生信号成分から、当該情報再生装置２００により生成可能な信号であり、本実施例では、ピットデータ復調回路２１１により生成される。尚、本実施例では、記録マーク２０はピットとも解釈でき、トラックはこのピット列によって構成される。【０１２５】  情報再生装置２００は、より具体的には、光ディスク１００に対して再生ビームを照射するとともに反射光に応じた信号を出力する光ピックアップ２０２と、光ディスク１００の回転を制御するスピンドルモータ２０３と、サーボユニット２２２を備える。サーボユニット２２２には、第１クロック信号ＣＫ１及びピット同期信号ＳＹＮＣｐが供給される。サーボユニット２２２は、これらの信号に同期して、スピンドルモータ２０３の回転を制御するスピンドルサーボ、光ピックアップ２０２の光ディスク１００に対する相対的位置制御であるフォーカスサーボ及びトラッキングサーボを実行する。【０１２６】  光ピックアップ２０２は、再生ビームを照射するレーザーダイオード、図示しない４分割検出回路を備える。４分割検出回路は、再生ビームの反射光を図１５の上方に示す領域１Ａ、１Ｂ、１Ｃ、１Ｄに４分割し、各領域の光量に応じた信号を各々出力する。ヘッドアンプ２０４は、光ピックアップ２０２の各出力信号を各々増幅し、領域１Ａに対応する分割読取信号１ａ、領域１Ｂに対応する分割読取信号１ｂ、領域１Ｃに対応する分割読取信号１ｃ、及び領域１Ｄに対応する分割読取信号１ｄを出力する。【０１２７】  総和生成回路２１０は、分割読取信号１ａ、１ｂ、１ｃ、及び１ｄを加算して、総和読取信号ＳＲＦを出力する加算回路からなる。なお、総和読取信号ＳＲＦは、記録マークの長短を表す信号である。【０１２８】  ピットデータ復調回路２１１は、総和読取信号ＳＲＦに基づいてピットデータＤＰを再生すると共に第１クロック信号ＣＫ１を生成する。より具体的にはピットデータ復調回路２１１は、ピット同期信号ＳＹＮＣｐを基準位置として、再生されたピットデータＤＰを所定のテーブルを用いて復調して再生データを生成する。例えば、変調方式としてＥＦＭ変調が採用される場合には、１４ビットのピットデータＤＰを８ビットの再生データに変換する処理が施される。そして、再生データの順序を予め定められた規則に従って並べ換えるデスクランブル処理が実行されて、処理済の再生データが出力される。【０１２９】  このようにして得られた再生データは、ピットデータ訂正回路２１２へ供給され、そこで、エラー訂正処理や補間処理等が施された後、バッファ２１３に記憶される。インターフェース２１４はバッファ２１３に記憶されたデータを順次読み出して所定の出力形式に変換して外部機器へ出力する。【０１３０】  プッシュプル信号生成回路２２０は、（１ａ＋１ｄ）−（１ｂ＋１ｃ）を算出して、プッシュプル信号を生成する。成分（１ａ＋１ｄ）は、読取方向に対して左側の領域１Ａ及び１Ｄに対応する一方、成分（１ｂ＋１ｃ）は、読取方向に対して右側の領域１Ｂ及び１Ｃに対応する。プッシュプル信号の値は再生ビームとピットの相対的な位置関係を表している。【０１３１】  プッシュプル信号はローパスフィルタ２２１を介してサーボユニット２２２へ出力される。サーボユニット２２２は、プッシュプル信号に基づいてトラッキング制御を実行する。【０１３２】  （情報再生装置による再生動作の流れ）
次に図１６及び図１７を参照して、本発明の実施例に係る光ディスクの情報再生装置による再生動作について詳細に説明する。【０１３３】  先ず、図１６を参照して本発明の第１実施例、即ち、ファイル管理情報記録エリアが再生回数制限領域として構成された実施例に係る光ディスクの再生処理の流れについて説明する。ここに、図１６は本発明の第１実施例に係る光ディスクの再生動作を示したフローチャート図である。【０１３４】  先ず、情報再生装置において、プレイモードになると、ＣＤ、ＤＶＤ−Ｖｉｄｅｏ、ＤＶＤ−ＲＯＭ、ＤＶＤ−Ｒ又はＤＶＤ−ＲＷ等の光ディスクの種類が判別される（ステップＳ１０１）。尚、ここでは、ＤＶＤフォーマット（ビデオ）の本発明の第１実施例に係る光ディスクが挿入されていると仮定する。【０１３５】  次に、記録情報等を認識することが可能であるかどうかが判定される（ステップＳ１０２）。ここで、記録情報等を認識することが可能な場合（ステップＳ１０２：Ｙｅｓ）、コントロールデータが読み込まれ、再生動作に必要な基本情報が読み込まれる（ステップＳ１０３）。【０１３６】  続いて、コントロールデータの読み込みに成功したか否かが判定される（ステップＳ１０４）。ここで、コントロールデータの読み込みに成功した場合（ステップＳ１０４：Ｙｅｓ）、ファイルシステムの読み込みが実行される（ステップＳ１０５）。【０１３７】  続いて、ファイルシステムの読み込みに成功したか否かが判定される（ステップＳ１０６）。ここで、ファイルシステムの読み込みに成功した場合（ステップＳ１０６：Ｙｅｓ）、例えば、親メニューファイル記録エリアに記録された親メニューが読み込まれる（ステップＳ１０７）。例えば、親メニューを介して、コンテンツがプレイされる。このコンテンツは、親メニューの中でループされ何回でもプレイすることができる。この親メニューの終了後に再生動作は終了する。【０１３８】  他方、ステップＳ１０２の判定の結果、記録情報等を認識することが可能でない場合（ステップＳ１０２：Ｎｏ）、ステップＳ１０４の判定の結果、コントロールデータの読み込みに失敗した場合（ステップＳ１０４：Ｎｏ）及びファイルシステムの読み込みに失敗した場合（ステップＳ１０６：Ｎｏ）、情報再生装置による再生動作は終了する。即ち、一回又は複数回といった、光ディスク１００の提供者が制限した再生回数を既に再生済みであれば、再生回数制限領域としてのファイル管理情報記録エリア内にあると共に消去可能な相変化によるピットとして記録されていたファイルシステム等が、既に消去されている。このため、ステップＳ１０５の判定においてその読み込みは不可能（ステップＳ１０５：Ｎｏ）と判定される。【０１３９】  次に、図１６に加えて図１７を参照して本発明の第５実施例、即ち、メニューファイル記録エリアが再生回数制限領域として構成された実施例に係る光ディスクの再生処理の流れについて説明する。ここに、図１７は本発明の第５実施例に係る光ディスクの再生動作を示したフローチャート図である。【０１４０】  本実施例では先ず図１６に示したステップＳ１０１〜ステップＳ１０６の処理が行われる。ここで、ファイルシステムの読み込みに成功した場合（ステ��プＳ１０６：Ｙｅｓ）、親メニューサブルーチンが実行される（ステップＳ１０７）。【０１４１】  図１７に示すように、親メニューサブルーチンでは、先ず、親メニューが表示され、複数の子メニューが選択できるように表示される（ステップＳ２０１）。【０１４２】  次に、子メニューが選択されたかどうかが判定される（ステップＳ２０２）。
ここで、子メニューが選択されない場合（ステップＳ２０２：Ｎｏ）、親メニューに対応するコンテンツがプレイされるかどうかが判定される（ステップＳ２０３）。ここで、親メニューに対応するコンテンツがプレイされる場合（ステップＳ２０３：Ｙｅｓ）、親メニューが読み込まれると共に、この親メニューに対応するコンテンツがプレイされる（ステップＳ２０４）。【０１４３】  本実施例では特に親メニューファイル記録エリアは再生回数制限領域として構成されているので、親メニューは一回又は制限された複数回だけ読み込まれると、例えば消去されるなどして親メニューの再生（ステップＳ２０４）はもはや再生不可能となる。【０１４４】  続いて、利用者によって親メニューが終了されるかどうかが判定される（ステップＳ２０５）。ここで、親メニューが終了される場合（ステップＳ２０５：Ｙｅｓ）、親メニューサブルーチンは終了される。【０１４５】  他方、ステップＳ２０２の判定の結果、子メニューが選択される場合（ステップＳ２０２：Ｙｅｓ）、子メニューが記録された子メニューファイル記録エリアは再生専用領域として構成されているので、子メニューの再生（ステップＳ２０６）は何回でも可能である。【０１４６】  他方、ステップＳ２０３の判定の結果、親メニューに対応するコンテンツがプレイされない場合（ステップＳ２０３：Ｎｏ）、利用者によって親メニューが終了されるかどうかが判定される（ステップＳ２０５）。【０１４７】  他方、ステップＳ２０５の判定の結果、利用者によって親メニューが終了されない場合（ステップＳ２０５：Ｎｏ）、ステップＳ２０１に戻り、親メニューが表示され、ステップＳ２０２及びステップＳ２０６を経て、複数の子メニューが選択できるように表示される。但し、続くステップＳ２０３で、親メニューに対応するコンテンツがプレイされる場合（ステップＳ２０３：Ｙｅｓ）、親メニューファイル記録エリアに記録された親メニューは以前に一度又は制限された複数回だけ読み込まれて消去されているので、親メニューに対応するコンテンツはプレイされない。【０１４８】  尚、上述の実施例では、情報記録媒体の一例として再生回数が制限された光ディスク並びに情報再生装置の一例として再生回数が制限された光ディスクに係るレコーダ又はプレーヤについて説明したが、本発明は、このような再生回数が制限された光ディスク並びにそのレコーダ又はプレーヤに限られるものではなく、他の高密度記録或いは高転送レート対応の各種情報記録媒体並びにそのレコーダ又はプレーヤにも適用可能である。【０１４９】  本発明は、上述した実施例に限られるものではなく、請求の範囲及び明細書全体から読み取れる発明の要旨或いは思想に反しない範囲で適宜変更可能であり、そのような変更を伴う情報記録媒体もまた本発明の技術的範囲に含まれるものである。
【産業上の利用可能性】
【０１５０】  本発明に係る情報記録媒体は、例えばレーザを照射することによって記録及び再生可能な光ディスク等の情報記録媒体に利用可能である。
【図面の簡単な説明】
【０１５１】
【図１】本発明に係る情報記録媒体の一実施例である光ディスクの基本構造を示し、上側部分は複数の記録領域を有する光ディスクの概略平面図であり、これに対応付けられる下側部分は、その径方向における記録領域構造の図式的概念図である。
【図２】本発明の実施例に係る光ディスクにおける再生パワー範囲、消去パワー範囲及び記録パワー範囲を示したグラフ図である。
【図３】本発明の第１実施例に係る光ディスクの記録領域の構造、再生専用領域及び再生回数制限領域を示した図式的構造図である。
【図４】本発明の第２実施例に係る光ディスクの記録領域の構造、再生専用領域及び再生回数制限領域を示した図式的構造図である。
【図５】本発明の第３実施例に係る光ディスクの記録領域の構造、再生専用領域及び再生回数制限領域を示した図式的構造図である。
【図６】本発明の第４実施例に係る光ディスクの記録領域の構造、再生専用領域及び再生回数制限領域を示した図式的構造図である。
【図７】本発明の第５実施例に係る光ディスクの記録領域の構造、再生専用領域及び再生回数制限領域を示した図式的構造図である。
【図８】本発明の第６〜第１１実施例に係る光ディスクにおける物理構造を示した図式的断面図である。
【図９】本発明の第１２実施例に係る光ディスクの一部を、光ディスクの記録面側から見た図式的拡大斜視図である。
【図１０】本発明の第１３実施例に係る光ディスクの一部を、光ディスクの記録面側から見た外観上面図とそれに対応するＲＦ再生信号との関係を示した図式的相関図である。
【図１１】本発明の第１４実施例に係る光ディスクの一部を、光ディスクの記録面側から見た外観上面図とそれに対応するＲＦ再生信号との関係を示した図式的相関図である。
【図１２】本発明の第１５実施例に係る光ディスクの一部を、光ディスクの記録面側から見た外観上面図とそれに対応するＲＦ再生信号との関係を示した図式的相関図である。
【図１３】本発明の第１６実施例に係る光ディスクの一部を、光ディスクの記録面側から見た図式的拡大斜視図である。
【図１４】本発明の第１７実施例に係る光ディスクの一部を、光ディスクの記録面側から見た外観上面図とそれに対応するＲＦ再生信号との関係を示した図式的相関図である。
【図１５】本発明の実施例に係る光ディスクの情報再生装置の全体構成を示すブロック図である。
【図１６】本発明の第１実施例に係る光ディスクの再生動作を示したフローチャート図である。
【図１７】本発明の第５実施例に係る光ディスクの再生動作を示したフローチャート図である。
【符号の説明】
【０１５２】１        センターホール
１０      トラック
１１      セクタ
２０      記録マーク
３０      記録層
３１      反射層
３２      基板
３３      カバー基板
１００    光ディスク
１０１    リードインエリア
１０１Ａ  コントロールデータエリア
１０２    データゾーン
１０２Ａ  ファイル管理情報記録エリア
１０３    リードアウトエリア
１０４    エンクリプションキー記録エリア
１０５    暗号化データエリア
１０６    アドレス情報記録エリア
１０７    親メニューファイル記録エリア
１０８    子メニューファイル記録エリア
１５０    再生回数制限領域
１６０    再生専用領域
２００    情報再生装置
２０２    光ピックアップ
２０３    スピンドルモータ
２０４    ヘッドアンプ
２１０    総和生成回路
２１１    ピットデータ復調回路
２１２    ピットデータ訂正回路
２１３    バッファ
２１４    インターフェース
２２０    プッシュプル信号生成回路
２２１    ローパスフィルタ
２２２    サーボユニット
Ｇ        グルーブトラック
Ｌ        ランドトラック
ＥＰ      エンボスピット
ＥＳ      エンボススペース
ＥＡ      リーダブルエンボスエリア
ＵＰ      アンリーダブルエンボスピット
【図１】
2005024805.tif 000003
【図２】
2005024805.tif 000004
【図３】
2005024805.tif 000005
【図４】
2005024805.tif 000006
【図５】
2005024805.tif 000007
【図６】
2005024805.tif 000008
【図７】
2005024805.tif 000009
【図８】
2005024805.tif 000010
【図９】
2005024805.tif 000011
【図１０】
2005024805.tif 000012
【図１１】
2005024805.tif 000013
【図１２】
2005024805.tif 000014
【図１３】
2005024805.tif 000015
【図１４】
2005024805.tif 000016
【図１５】
2005024805.tif 000017
【図１６】
2005024805.tif 000018
【図１７】
2005024805.tif 000019
【手続補正書】
【提出日】平成17年10月21日(2005.10.21)
【手続補正００１】
【補正対象書類名】特許請求の範囲
【補正対象項目名】全文
【補正方法】変更
【補正の内容】
【書類名】特許請求の範囲
【請求項１】所定のレーザパワーを保持するレーザ光によって再生可能な第１記録情報が予め記録されている再生専用領域と、
前記レーザ光による再生動作に伴って再生不可能となる第２記録情報が記録されている再生回数制限領域と、を有し、
前記再生回数制限領域は、再生専用メディアの再生に用いられるレーザパワーである０．７ｍＷから２．０ｍＷのレーザパワーで再記録が可能であることを特徴とする情報記録媒体。
【請求項２】前記第２記録情報は、前記再生専用領域に記録された第１記録情報を再生するために必要な再生制御情報であることを特徴とする請求の範囲第１項に記載の情報記録媒体。
【請求項３】前記再生回数制限領域は、記録された記録情報を再生可能とするための再生パワー範囲と前記記録情報を消去可能とするための消去パワー範囲とが少なくとも部分的に重なっている記録特性を持つ記録層を備え、当該記録層上に前記第２記録情報が記録されていることを特徴とする請求の範囲第１項に記載の情報記録媒体。
【請求項４】当該情報記録媒体は、情報記録装置又は情報記録再生装置による前記第２記録情報の記録が認められない再生専用である旨のフラグを有することを特徴とする請求の範囲第１項に記載の情報記録媒体。
【請求項５】基板と、
該基板上に形成された第１記録層と、
前記基板上に形成された第２記録層と
を備えており、
前記再生専用領域には、前記第１記録情報に対応する第１ピットが前記第１記録層に形成されており、
前記再生回数制限領域には、前記第２記録情報に対応すると共に前記第１ピットとは異なる種類の第２ピットが前記第２記録層に形成されていることを特徴とする請求の範囲第１項に記載の情報記録媒体。
【請求項６】前記第１ピットは，前記再生専用領域内における前記第１ピットが形成された領域部分と前記第１ピットが形成されていない領域部分とで凹凸が相異なるように形成されていることを特徴とする請求の範囲第５項に記載の情報記録媒体。
【請求項７】前記第２ピットは、前記再生回数制限領域内における前記第２ピットが形成された領域部分と前記第２ピットが形成されていない領域部分とで相互に光学特性が相異なるように形成されていることを特徴とする請求の範囲第５項に記載の情報記録媒体。
【請求項８】基板と、
該基板上に形成された単一の記録層と
を備えており、
前記再生専用領域には、前記第１記録情報に対応する第１ピットが前記単一の記録層に形成されており、
前記再生回数制限領域には、前記第２記録情報に対応すると共に前記第１ピットとは異なる種類の第２ピントが前記単一の記録層に形成されていることを特徴とする請求の範囲第１項に記載の情報記録媒体。
【請求項９】前記第１ピットは、前記再生専用領域内における前記第１ピットが形成された領域部分と前記第１ピットが形成されていない領域部分とで凹凸が相異なるように形成されていることを特徴とする請求の範囲第８項に記載の情報記録媒体。
【請求項１０】前記第２ピットは、前記再生回数制限領域内における前記第２ピットが形成された領域部分と前記第２ピットが形成されていない領域部分とで相互に光学特性が相異なるように形成されていることを特徴とする請求の範囲第８項に記載の情報記録媒体。
【請求項１１】ディスク状の基板を備えており、
前記再生専用領域は、前記基板上における内周側及び外周側のうち一方に配置されており、
前記再生回数制限領域は、前記基板上における前記内周側及び前記外周側のうち他方に配置されていることを特徴とする請求の範囲第１項に記載の情報記録媒体。
【請求項１２】前記再生専用領域と前記再生回数制限領域とは、交互に配置されていることを特徴とする請求の範囲第１項に記載の情報記録媒体。
【請求項１３】前記第２記録情報は、記録用レーザの照射により前記再生回数制限領域に記録されていることを特徴とする請求の範囲第１項に記載の情報記録媒体。
【請求項１４】少なくとも前記再生回数制限領域には、グルーブが形成されており、当該グルーブに沿って前記第２記録情報が記録されていることを特徴とする請求の範囲第１項に記載の情報記録媒体。
【請求項１５】再生順番を示す再生論理階層のうち相対的に下位に位置される情報が、前記第１記録情報として前記再生専用領域に予め記録され、
前記再生論理階層のうち相対的に上位に位置される情報が、前記第２記録情報として前記再生回数制限領域に記録されることを特徴とする請求の範囲第１項に記載の情報記録媒体。
【手続補正書】
【提出日】平成18年3月2日(2006.3.2)
【手続補正１】
【補正対象書類名】特許請求の範囲
【補正対象項目名】全文
【補正方法】変更
【補正の内容】
【特許請求の範囲】
【請求項１】
所定のレーザパワーを保持するレーザ光によって再生可能な第１記録情報が予め記録されている再生専用領域と、
前記レーザ光による再生動作に伴って再生不可能となる第２記録情報が記録されている再生回数制限領域と、を有し、
前記再生回数制限領域は、再生専用メディアの再生に用いられるレーザパワーである０．７ｍＷから２．０ｍＷのレーザパワーで再記録が可能であることを特徴とする情報記録媒体。
【請求項２】
前記第２記録情報は、前記再生専用領域に記録された第１記録情報を再生するために必要な再生制御情報であることを特徴とする請求項１に記載の情報記録媒体。
【請求項３】
前記再生回数制限領域は、記録された記録情報を再生可能とするための再生パワー範囲と前記記録情報を消去可能とするための消去パワー範囲とが少なくとも部分的に重なっている記録特性を持つ記録層を備え、当該記録層上に前記第２記録情報が記録されていることを特徴とする請求項１又は２に記載の情報記録媒体。
【請求項４】
当該情報記録媒体は、情報記録装置又は情報記録再生装置による前記第２記録情報の記録が認められない再生専用である旨のフラグを有することを特徴とする請求項１から３のうちのいずれか一項に記載の情報記録媒体。
【請求項５】
基板と、
該基板上に形成された第１記録層と、
前記基板上に形成された第２記録層と
を備えており、
前記再生専用領域には、前記第１記録情報に対応する第１ピットが前記第１記録層に形成されており、
前記再生回数制限領域には、前記第２記録情報に対応すると共に前記第１ピットとは異なる種類の第２ピットが前記第２記録層に形成されていることを特徴とする請求項１から４のうちいずれか一項に記載の情報記録媒体。
【請求項６】
前記第１ピットは、前記再生専用領域内における前記第１ピットが形成された領域部分と前記第１ピットが形成されていない領域部分とで凹凸が相異なるように形成されていることを特徴とする請求項５に記載の情報記録媒体。
【請求項７】
前記第２ピットは、前記再生回数制限領域内における前記第２ピットが形成された領域部分と前記第２ピットが形成されていない領域部分とで相互に光学特性が相異なるように形成されていることを特徴とする請求項５又は６に記載の情報記録媒体。
【請求項８】
基板と、
該基板上に形成された単一の記録層と
を備えており、
前記再生専用領域には、前記第１記録情報に対応する第１ピットが前記単一の記録層に形成されており、
前記再生回数制限領域には、前記第２記録情報に対応すると共に前記第１ピットとは異なる種類の第２ピットが前記単一の記録層に形成されていることを特徴とする請求項１から７のうちいずれか一項に記載の情報記録媒体。
【請求項９】
前記第１ピットは、前記再生専用領域内における前記第１ピットが形成された領域部分と前記第１ピットが形成されていない領域部分とで凹凸が相異なるように形成されていることを特徴とする請求項８に記載の情報記録媒体。
【請求項１０】
前記第２ピットは、前記再生回数制限領域内における前記第２ピットが形成された領域部分と前記第２ピットが形成されていない領域部分とで相互に光学特性が相異なるように形成されていることを特徴とする請求項８又は９に記載の情報記録媒体。
【請求項１１】
ディスク状の基板を備えており、
前記再生専用領域は、前記基板上における内周側及び外周側のうち一方に配置されており、
前記再生回数制限領域は、前記基板上における前記内周側及び前記外周側のうち他方に配置されていることを特徴とする請求項１から１０のうちいずれか一項に記載の情報記録媒体。
【請求項１２】
前記再生専用領域と前記再生回数制限領域とは、交互に配置されていることを特徴とする請求項１から１１のうちいずれか一項に記載の情報記録媒体。
【請求項１３】
前記第２記録情報は、記録用レーザの照射により前記再生回数制限領域に記録されていることを特徴とする請求項１から１２のうちいずれか一項に記載の情報記録媒体。
【請求項１４】
少なくとも前記再生回数制限領域には、グルーブが形成されており、当該グルーブに沿って前記第２記録情報が記録されていることを特徴とする請求項１から１３のうちいずれか一項に記載の情報記録媒体。
【請求項１５】
再生順番を示す再生論理階層のうち相対的に下位に位置される情報が、前記第１記録情報として前記再生専用領域に予め記録され、
前記再生論理階層のうち相対的に上位に位置される情報が、前記第２記録情報として前記再生回数制限領域に記録されることを特徴とする請求項１から１４のうちいずれか一項に記載の情報記録媒体。
【国際調査報告】
2005024805.tif 000020
2005024805.tif 000021